(57)【特許請求の範囲】
【請求項１】
互いに連結する螺旋状ケーブル吊り具の端末に基部片において固着する合成樹脂製の第一、第二の連結材で成り、前記螺旋状ケーブル吊り具の連結方向に長い係止部と該係止部の大径部に隣接して径を小さくした頸部とで成る嵌挿部片を、前記第一連結材の前記基部片に前記頸部において連設し、該嵌挿部片を嵌挿したとき、前記頸部に内径の狭い開口端部が係合する筒状部片を前記第二連結材の前記基部片に連設すると共に、該筒状部片を、前記嵌挿部片より短かく、しかも、前記連結方向に沿う一対のスリットを第一連結材の前記基部片に接する開口端部側に設けて二股に分岐した、螺旋状ケーブル吊り具の連結具。
【発明の詳細な説明】
【０００１】
【産業上の利用分野】
電柱間にケーブルを架設する際、電柱間に吊架した吊り線（メッセンジャーワイヤー）に螺旋状ケーブル吊り具を吊架せしめ、該螺旋状ケーブル吊り具にケーブルを受支させるようにし、前記螺旋状ケーブル吊り具は順次連結して電柱間のほぼ全域に吊架するようにしているが、本発明は、螺旋状ケーブル吊り具を順次連結する際に用いる連結具に関するものである。
【０００２】
【従来の技術】
例えば、特開平９−７０１２８号公報所載のとおりアルミニウム製の筒体より成る連結具の両端に、互いに連結する螺旋状ケーブル吊り具の端末を嵌挿するようにして構成した構造のものがある。
【０００３】
前記従来例は、基本的に連結具を圧潰して一対の螺旋状ケーブル吊り具を連結して得るものであるが、該圧潰作業が煩雑であるのみならず、連結具よりケーブル吊り具が抜ける方向の外力が負荷したとき容易に抜け易く、連結状態を維持できない等々の欠点がある。
【０００４】
本発明は斯様な従来例の欠点を回避し、斬新な構造の連結具を提供すべく創案したものである。
【０００５】
【課題を解決するための手段】
互いに連結する螺旋状ケーブル吊り具の端末に基部片において固着する合成樹脂製の第一、第二の連結材で成り、前記螺旋状ケーブル吊り具の連結方向に長い係止部と頸部とで成る嵌挿部片を、前記第一連結材の前記基部片に前記頸部において連設し、該嵌挿部片を強制的に嵌挿して係止する筒状部片を前記第二連結材の前記基部片に連設し、該筒状部片の第一連結材の前記基部片に接する開口端側には、前記嵌挿部片より短かく、しかも、前記連結方向に沿う一対のスリットを設けた構成とするのである。
【０００６】
【実施例】
図面は本発明に係る螺旋状ケーブル吊り具の連結の一実施例を示し、図１は一部欠截正面図、図２は図１のｘ−ｘ線断面図、図３は一部欠截分解平面図、図４は使用状態を示す正面図である。
【０００７】
本発明は、鋼線より成る芯材を合成樹脂で被覆して構成した螺旋状ケーブル吊り具１，１´（具体例を挙げるまでもなく公知）を第一、第二の連結材（ポリアセタール樹脂を素材とするが、他の樹脂素材でも良い）２，３で連結する連結具Ａに係り、第一、第二の連結材２，３は、それぞれの基部片４，５に設けた接続穴６，６´に螺旋状ケーブル吊り具（以下、単にケーブル吊り具と称す）１，１´の端末を嵌挿するようにしてケーブル吊り具１に固着して用いる。
【０００８】
この固着作業は、工場で行われ、接続穴６，６´にケーブル吊り具１の端末を嵌挿して、ケーブル吊り具１，１´乃至連結材２，３の弾性変形を利用して固着状態を維持させる場合と、接続穴６，６´に接着剤を注入して接着剤の接着力を利用して固着状態を維持する場合があり、ここで「固着」とは本発明の連結具Ａを用いた連結装置に外力が負荷した際、連結材２，３とケーブル吊り具１とが不測のとき以外は互いに離脱しない状態にあることをいう。
【０００９】
前記第一連結材２は、前記ケーブル吊り具１，１´の連結方向に長い係止部７ａと頸部７ｂとで成る嵌挿部片７を前記基部片４に連設して構成する。
【００１０】
この第一連結材２を構成する前記嵌挿部片７の係止部７ａは、前記頸部７ｂ側の基部を大径にした先細状に構成し、相対する一対の周縁部７ａ´，７ａ´を円弧面状に、該周縁部７ａ´，７ａ´間に存して互いに相対する他の一対の周縁部７ａ´´，７ａ´´を直面状にして形成して、前記第二連結材３の筒状部片８内において回動しないようにしてあり、この係止部７ａと前記基部片４との間に介在する前記頸部７ｂは係止部７ａの大径部に隣接して径を小さくして、前記筒状部片８の内径の狭い開口端部８ａが係合するようにしてある。
【００１１】
なお、頸部７ｂと係止部７ａの中間部に鍔部片９，９を突設してあるが、この鍔部片９は筒状部片８に形成したスリット１０に係合され、位置合わせの目印となり、また、頸部７ｂの補強材として機能すると共に、第一、第二の連結材２，３の結合状態における折れ曲げ方向の外力の負荷に対する補強ともなる。
【００１２】
前記第二連結材２は、前記基部片５に前記筒状部片８を連設して構成し、筒状部片８は内壁８´を、鍔部片９を除いた前記嵌挿部片７の外形とほぼ同形にしてある。
【００１３】
しかして、互いに連結する一方のケーブル吊り具１の端末に第一連結材２を、他の一方のケーブル吊り具１´の端末に第二連結材３をそれぞれ前記のようにして接続固着し、第二連結材３の筒状部片８、一方のケーブル吊り具１に取付けた第一連結材２の嵌挿部片７を、一致させて第一連結材２側を押圧すると、嵌挿部片７は筒状部片８に強制的に圧入され、両連結材２，３の先端面２´，３´が互いに面接触して設定した接触角度を維持して両連結材２，３すなわち一対のケーブル吊り具１，１´は互いに連結され、このとき、前記嵌挿部片７が筒状部片８に圧入される際、筒状部片８の先端部側にスリット１０を設けて、筒状部片８をいわば二又に分岐してあるので、これが弾性変形して嵌挿部片７と筒状部片８との嵌合操作が円滑に行われる。
【００１４】
しかして、一方の電柱から他の電柱位置まで、ケーブル吊り具を前記電柱間に吊架した吊り線ａに巻回して第一連結材２と第二連結材３を互いに連結する操作を繰り返すことにより、電柱間に第一連結材２と第二連結材３を用いて順次連結された適宜数のケーブル吊り具が配され、このケーブル吊り具を挿通するようにしてケーブルＣを前記吊り線ａに沿って移動させることによりケーブルＣは前記電柱間にケーブル吊り具に受支されて吊架される。
【００１５】
そして、このケーブル吊架作業中或いは吊架作業後に、ケーブル吊り具１，１´乃至第一、第二の連結材２，３に外力が負荷しても、嵌挿部片７と筒状部片８の結合関係によりケーブル吊り具１，１´の連結状態は確実に維持される。
【００１７】
【発明の効果】
本発明は前記の通りの構成であるから、嵌挿部片と筒状部片とが成す連結部にケーブル吊り具の半径方向に外力が付加しても嵌挿部片はスリットより長いため、前記折曲げ方向の外力により嵌挿部片が筒状部片より抜けることがなく、また、連結部の連結方向（ケーブル吊り具の軸線方向）に外力が付加されることは殆どないから、筒状部片を強制的に弾性変形させて嵌挿部片を引き抜かない限り、連結状態は維持され、従って、螺旋状ケーブル吊り具同士の連結状態を確実に維持する連結装置を提供できる。そして、必要に際しては、嵌挿部片を筒状部片より離脱させて、前記の連結状態を解消することができる。
【００１８】
ケーブル吊り具同士を連結状態から解消できるから、ケーブル吊り具の再利用のできる連結具を提供できる。
【図面の簡単な説明】
【図１】一部欠截正面図。
【図２】図１のｘ−ｘ線断面図。
【図３】一部欠截分解平面図。
【図４】使用状態を示す正面図。
【符号の説明】
１，１´      螺旋状ケーブル吊り具
２            第一連結材
３            第二連結材
４，５        基部片
７            嵌挿部片
７ａ          係止部
７ｂ          頸部
８            筒状部片
１０          スリット
【図１】
0003742735.tif 000002
【図２】
0003742735.tif 000003
【図３】
0003742735.tif 000004
【図４】
0003742735.tif 000005